(57)【要約】【課題】画像分離性能を低下させずに光の干渉の影響を低減した、複数の画像を表示する画像表示装置を提供する。【解決手段】長手方向が略平行な画素列７と遮光薄膜４ａとを備え、これらの長手方向に対して略垂直となるように、パララックスバリア４の遮光薄膜４ａが設けられた面の裏面に筋１０を複数設ける。このように構成することで、ニュートンリング等の光の干渉の影響を低減することができるとともに、この筋１０により画像がパララックスバリア４及び画素列７の長手方向に拡散し、異なる種類の画像が混合されることを防ぐことができる。【選択図】図１
2008102430.tif 000002
【特許請求の範囲】
【請求項１】
画素が長手方向に整列した画素列を複数本備え隣接する前記画素列による画像を異なる画面の画像として表示する画像表示部と、該画像表示部によって表示された複数の前記異なる画面の画像を前記画素列が配列される方向と略平行な所定の方向に分離する画像分離部と、を備えた画像表示装置において、
前記画像分離部で前記画像が分離される前記所定の方向に対して交差する角度で画像を拡散させる拡散部を備えることを特徴とする画像表示装置。
【請求項２】
前記拡散部で拡散させる方向と前記画像分離部で前記画像が分離される前記所定の方向との角度が、４５度から９０度の範囲内であることを特徴とする請求項１に記載の画像表示装置。
【請求項３】
前記画素列が、縦ストライプであることを特徴とする請求項１又は請求項２に記載の画像表示装置。
【請求項４】
前記画素列が、斜め方向に配列されていることを特徴とする請求項１又は請求項２に記載の画像表示装置。
【請求項５】
前記拡散部が、その長手方向が前記画素列の長手方向に対して交差する角度を有している複数の筋から成ることを特徴とする請求項１〜請求項４のいずれかに記載の画像表示装置。
【請求項６】
前記拡散部が、前記画像表示部と前記画像分離部との間に設けられることを特徴とする請求項１〜請求項５のいずれかに記載の画像表示装置。
【請求項７】
前記画像分離部が前記画像表示部の表面に設置され、
前記拡散部が、前記画像分離部の表面に設置されることを特徴とする請求項１〜請求項５のいずれかに記載の画像表示装置。
【請求項８】
前記画像表示部が前記画像分離部の表面に設置され、
前記拡散部が、前記画像表示部の表面に設置されることを特徴とする請求項１〜請求項５のいずれかに記載の画像表示装置。
【発明の詳細な説明】
【技術分野】
【０００１】
本発明は、観察者の右目及び左目のそれぞれに表示される画像に視差を与えることで立体画像を表示する画像表示装置や、観察者が観察する位置を変えることにより複数の異なる画面を表示する画像表示装置に関する。
【背景技術】
【０００２】
観察者に特殊な眼鏡を使用させることなく立体画像を表示する方法や、観察する位置を変えることにより複数の異なる画面を表示する方法として、レンチキュラレンズ方式や、パララックスバリア方式が知られている。レンチキュラレンズ方式もパララックスバリア方式も、立体画像を表示する画像表示装置に利用した場合では、観察者の右目には右目用画像のみ、左目には左目用画像のみを表示する。また、複数の異なる画面を表示する画像表示装置に利用した場合では、観察する位置によって観察される画面が異なるものとなるように表示する（特許文献１〜３参照）。
【０００３】
まず、パララックスバリア方式を利用した画像表示装置について図２３を用いて説明する。図２３はパララックスバリア方式の画像表示装置の模式的な分解斜視図である。この画像表示装置１００は、上面から光を照射するバックライト３と、バックライト３上に設けられ２枚のガラス基板６ａ、６ｂと該ガラス基板６ａ、６ｂに挟持された液晶（不図示）を備える画素列７とそれぞれのガラス基板６ａ、６ｂの画素列７が備えられた面と対向するそれぞれの面に偏光板５ａ、５ｂが備えられている液晶パネル２と、液晶パネル２上に設けられた遮光薄膜４ａを備えたガラス基板４ｂから成るパララックスバリア４と、を備える。
【０００４】
遮光薄膜４ａはストライプ状であり、画素列７もそれぞれストライプ状である。そして、遮光薄膜４ａ及び画素列７の長手方向は略平行となっており、画素列７はその長手方向に略垂直でストライプの幅方向（図２３のＸ方向に相当、以下、水平方向とする）に複数存在し、整列している。そして、この画素列７は、複数の画素によって構成される。又、遮光薄膜４ａも同様に水平方向に整列している。
【０００５】
このパララックスバリア方式の動作例として、図２４を用いて、２眼式の立体画像を表示する画像表示装置に利用した場合について説明する。図２４は、パララックスバリア方式の立体画像を表示する画像表示装置の模式図である。図２４の点線で示した線は光の進行方向を示している。まず、バックライト３から放射された光は、偏光板５ａである一方向に振動する光のみ取り出される。次に、振動方向を揃えられた光は画素列７に入射し、画素列７に備えられた液晶の配向方向によって、振動方向がずれるかそのまま透過するかが選択される。振動方向がずれた光は偏光板５ｂを透過し、振動方向が変化しなかった場合は偏光板５ｂを透過せず遮断される。
【０００６】
通常の液晶表示装置では、上記の動作で偏光板を透過した光によって所望の像が表示されるが、２眼式の立体画像を表示する画像表示装置１００の場合、さらにパララックスバリア４の遮光薄膜４ａの設けられていない隙間を透過した光のみが観察者の目８Ｌ、８Ｒに入射する。ここで、光Ｌ１〜Ｌ３を例に挙げて説明すると、まず、光Ｌ１は左目用画素列７Ｌ及び偏光板５ｂを透過する光を示しており、この光Ｌ１はパララックスバリア４の遮光薄膜４ａの設けられていない隙間を通り、左目８Ｌに入射している。又、右目用画素列７Ｒ及び偏光板５ｂを透過する光Ｌ２は、パララックスバリア４の遮光薄膜４ａの設けられていない隙間を通り、右目８Ｒに入射する。一方、左目用画素列７Ｌ及び偏光板５ｂを透過し、右目８Ｒに入射しようとする光Ｌ３のような光はすべて遮光薄膜４ａによって遮光される。従って、観察者の右目８Ｒと左目８Ｌとに視差が与えられることとなり、画像が立体的に表示される。このとき、図２４のＸ方向、即ち、水平方向に、左目及び右目それぞれに対する画像が分離されることとなる。
【０００７】
次に、図２５を用いてレンチキュラレンズ方式を利用した画像表示装置について説明する。図２５はレンチキュラレンズ方式の画像表示装置の模式的な分解斜視図である。図２５に示す画像表示装置１００ａは、バックライト３、液晶パネル２の構成が、図２３に示すパララックスバリア方式の画像表示装置１００と同様である。又、液晶パネル２が備える画素列７についても、図２３の画像表示装置１００と同様、ストライプ状となっており水平方向に整列している。しかし、図２３の画像表示装置１００におけるパララックスバリア４の代わりに画素列７の長手方向と平行な方向に長い蒲鉾状のレンチキュラレンズ９が、図２５のＸ方向、即ち、水平方向に複数整列して設けられている点で異なる。
【０００８】
このレンチキュラレンズ方式の動作例として、図２６を用いて、２眼式の立体画像を表示する画像表示装置に利用した場合について説明する。図２６はパララックスバリア方式について説明した図２４に相当するものであり、レンチキュラレンズ方式を利用した立体画像を表示する画像表示装置の模式図である。また、図２４と同様の部分には同一の符号を付し、その詳細な説明については省略する。
【０００９】
図２６の光Ｌ４を例に挙げて説明すると、レンチキュラレンズ方式ではバックライトから放射された光Ｌ４が画素列７Ｌ及び偏光板５ｂを透過する点までは図２に示すパララックスバリア方式と同様であるが、偏光板５ｂを透過したあとにレンチキュラレンズによって観察者の目８Ｒに入射させられる点で異なる。しかし、観察者の左右の目に視差を与えるという目的及び効果はパララックスバリア方式と同様であり、画像の分離方向も、図２の場合と同様、水平方向（図２６のＸ方向）となる。
【００１０】
図２４及び図２６について、２眼式の立体画像を表示する画像表示装置１００、１００ａを例に挙げて説明したが、多眼式の立体画像表示装置や複数の異なる画面を表示する画像表示装置の場合も同様に、パララックスバリア４やレンチキュラレンズ９によって水平方向に画像が分離されることで、観察する位置によって観察される立体画像や画面が異なるものとなるように表示される。
【００１１】
以上に示した従来例では、画像表示手段であるバックライト３及び液晶パネル２と、画像分離手段であるパララックスバリア４及びレンチキュラレンズ９との間に光の波長分程度の僅かな隙間が生じ、その僅かな隙間によって透過光と反射光とが干渉してニュートンリング等の光の干渉縞が発生する問題が生じた。この問題を解決する手段として、画像表示手段と画像分離手段のいずれかの面に光を拡散する手段を備えるものが提案されている。
【特許文献１】特許第２９６６７８０号公報
【特許文献２】特許第３０９６６１３号公報
【特許文献３】特開平１０−２６８２３２号公報
【発明の開示】
【発明が解決しようとする課題】
【００１２】
しかしながら、光を拡散させることで光の干渉を防ぐことができるが、これらの方法では光を拡散させる方向がランダムであるため、光が画像を分離する方向と略平行な方向にも拡散する。そのため、この方向に光が拡散することによって、分離させた画像を混合させてしまい、画像分離性能が低下する問題が生じた。このとき、拡散度を低くしても、画像分離性能の低下を完全に防ぐことはできない。又、これとは別に、画面の表面に細かな凹凸を形成して光の干渉及び映り込みを防ぐ手法があるが、この手法によっても光がランダムに拡散されることとなり、水平方向に光が拡散する部分においては、画像分離性能が低下してしまうという問題がある。
【００１３】
そこで、本発明はこれらの問題を解決し、光の干渉と映り込みとを防ぎつつ画像分離性能の低下を防ぐ画像表示装置を提供することを目的とする。
【課題を解決するための手段】
【００１４】
上記目的を達成するために、本発明の画像表示装置は、画素が長手方向に整列した画素列を複数本備え隣接する前記画素列による画像を異なる画面の画像として表示する画像表示部と、該画像表示部によって表示された複数の前記異なる画面の画像を前記画素列が配列される方向と略平行な所定の方向に分離する画像分離部と、を備えた画像表示装置において、前記画像分離部で前記画像が分離される前記所定の方向に対して交差する角度で画像を拡散させる拡散部を備えることを特徴とする。
【００１５】
このとき、前記拡散部で拡散させる方向と前記画像分離部で前記画像が分離される前記所定の方向との角度が、４５度から９０度の範囲内とすることで、拡散方向を画像を分離する方向に対して４５度から９０度の角度とすることができ、画像の分離に対して拡散による影響を低減させることができる。
【００１６】
又、前記画素列を縦ストライプとしても構わないし、例えば市松模様のように斜め方向に配列されることとしても構わない。斜め方向に配列されることとしたとき、分離する画面の数が多くなった場合においても、同じ画面の画素を画素列の長手方向に近接させることができるため、高画質化を図ることができる。
【００１７】
又、前記拡散部が、その長手方向が前記画素列の長手方向に対して交差する角度を有している複数の筋から成るものとしても構わない。このとき、透明樹脂をエッチングすることによって形成されるものとしても構わない。
【００１８】
更に、前記拡散部を形成する前記筋を、一続きに連続したものとしても構わないし、長さの異なるものとし、一定の方向に不連続に配置されるものとしても構わないし、配置される方向もランダムなものとしても構わない。
【００１９】
又、前記拡散部が、前記画像表示部と前記画像分離部との間に設けられるものとしても構わない。このとき、前記拡散部が、前記画像表示部の表面に形成されるものとしても構わないし、前記画像分離部の裏面に形成されるものとしても構わない。
【００２０】
又、前記画像分離部が前記画像表示部の表面に設置され、前記拡散部が、前記画像分離部の表面に設置されるものとしても構わないし、前記画像表示部が前記画像分離部の表面に設置され、前記拡散部が、前記画像表示部の表面に設置されるものとしても構わない。このとき、画像表示装置の表示面に拡散部が設けられることとなり、外部からの映りこみを低減させることができる。
【００２１】
前記画像分離部が、複数の特定の方向に長い蒲鉾状のレンチキュラレンズより成り、該レンチキュラレンズの前記特定の方向と、前記画素列の前記長手方向とが略平行となるようにしても構わない。
【００２２】
又、前記画像分離部が、複数の特定の方向に長いストライプ状の遮光薄膜を備えたパララックスバリアより成り、前記遮光薄膜の前記特定の方向と、前記画素列の前記長手方向とが略平行となる用にしても構わない。このとき、前記拡散部が、前記パララックスバリアの前記画像表示部と対向する面の裏面に形成されるものとしても構わない。
【発明の効果】
【００２３】
本発明の構成によれば、画像分離手段の画像分離方向に対して交差する角度に画像を拡散する拡散手段を備えているため、画像分離方向に平行な方向に画像が拡散することを防ぐことができる。これにより、画像分離性能を低下させずに、拡散によるニュートンリング等の光の干渉の影響を低減することができる。更に、拡散部を画像表示装置の表示面に設けることにより、外部からの映りこみを低減させることができる。
【発明を実施するための最良の形態】
【００２４】
＜第１の実施形態＞
本発明の第１の実施形態について、図面を参照して説明する。尚、図１は、本実施形態における画像表示装置の構成を示す分解斜視図であり、図２３で示す画像表示装置と同様の部分については同じ符号を付し、その詳細な説明については省略する。
【００２５】
本実施形態の画像表示装置１は、図１に示すように、パララックスバリア方式の画像表示装置であり、図２３の画像表示装置１００と同様、バックライト３と、２枚の偏光板５ａ、５ｂと２枚のガラス基板６ａ、６ｂに挟持された複数の画素列７とを備えた液晶パネル２と、ガラス基板４ｂに遮光薄膜４ａを備えたパララックスバリア４と、を備える。又、この画像表示装置１は、図２３の画像表示装置１００と異なり、ガラス基板４ｂの遮光薄膜４ａを形成した面（表面）と反対側となる裏面に、液晶パネル２を透過した光を拡散する拡散手段となるストライプ状の筋１０が複数配列されている。
【００２６】
尚、筋１０は、例えば、ガラス基板４ｂ上に透明樹脂を形成してエッチングすることによって形成することで、又は、樹脂基板をエッチングして筋を形成しガラス基板４ｂに貼り付けることで、パララックスバリア４のガラス基板４ｂの裏面に形成することができる。又、筋１０は、ガラス基板４ｂの表面に形成されたパララックスバリア４を形成するための遮光薄膜４ａの長手方向に対して、その長手方向が略垂直となるように、ガラス基板４ｂの裏面に形成される。
【００２７】
このように形成される画像表示装置１において、２眼式の立体画像を表示する場合、液晶パネル２に配列される画素列７として、右目用の画素列及び左目用の画素列が設置される。又、液晶パネル２がカラーで表示されるものである場合、画素列７は、上述のように、右目用及び左目用の画素列が交互に配列されながら、赤、緑、青を表示する画素列も順に水平方向に配列される。そして、この画素列７それぞれは、複数の画素が一列に設置されることによって構成される。尚、以下において、右目用の画素を「右」、左目用の画素を「左」と表し、赤を表示する画素は「Ｒ」、緑は「Ｇ」、青は「Ｂ」と表す。
【００２８】
このとき、図２（ａ）に示す画素の平面図のように、右目用の画素列及び左目用の画素列は、水平方向（Ｘ方向）に１列毎に交互となるように、配列される。又、赤、緑、青を表示する画素列については、循環するように１列毎に異なる色の画素列が配列される。即ち、この画素列７は周期性を有して配列され、図２（ａ）に示すように、右Ｒ、左Ｇ、右Ｂ、左Ｒ、右Ｇ、左Ｂのように、左右２種類に３色分を乗じた合計６種類の画素が周期的に水平方向に繰り返されるように、配列される。尚、画素列７の長手方向において、同じ種類及び同じ色を表示する画素が整列する。
【００２９】
又、複数の異なる画面を表示する画像表示装置や多眼式の立体画像表示装置の例として、４つの画面を表示する画像表示装置を例に挙げて説明する。画像表示装置１を４つの画面を表示する画像表示装置とした場合、画素列７として、第１の画面用、第２の画面用、第３の画面用及び第４の画面用の４種類の画素列が配列される。尚、以下において、第１の画面用であることを「１」、第２の画面用であることを「２」、第３の画面用であることを「３」、第４の画面用であることを「４」とする。
【００３０】
このとき、第１〜第４の画面用の画素列について、循環するように１列毎に異なる画面用の画素列が配列される。即ち、第１の画面用の画素、第２の画面用の画素、第３の画面用の画素及び第４の画面用の画素が、順に循環して水平方向（Ｘ方向）に整列する。そして、液晶パネル２がカラーで表示されるものである場合、図２（ｂ）に示すように、２眼式の立体画像を表示するときと同様、赤、緑、青を表示する画素列が１列毎に循環するように配列される。
【００３１】
即ち、それぞれの画面の赤、緑、青を表示する画素も順に整列するため、図２（ｂ）に示すように、１、２、３、４の画素列とＲ、Ｇ、Ｂの画素列がそれぞれこの順で組み合わされて整列する。従って、この場合も周期性を有し、１Ｒ、２Ｇ、３Ｂ、４Ｒ、１Ｇ、２Ｂ、３Ｒ、４Ｇ、１Ｂ、２Ｒ、３Ｇ、４Ｂのように、１〜４の４種類に３色分を乗じた合計１２種類の画素が周期的に水平方向に繰り返されるように、配列される。そして、この場合も２眼式の立体画像を表示するときと同様、長手方向に対して同じ種類及び同じ色を表示する画素が整列する。尚、ｎ個の画面を表示する場合や、ｎ眼式の立体表示用の画像表示装置の場合は、１〜ｎのｎ種類に３色分を乗じた３ｎ種類を周期として水平方向に繰り返すように、画素列７が配列されることとなる。
【００３２】
このように、垂直方向（Ｙ方向）に画素が一列に並んだ画素列７が、図２（ａ）、（ｂ）のように、隣接する画素列７が異なる画面用となるように水平方向（Ｘ方向）に配列される。これにより、バックライト３から放射された光が、偏光板５ａである一方向に振動する光のみ取り出されて、画素列７に入射すると、画素列７に備えられた液晶の配向方向によって、振動方向がずれて透過するか又はそのまま透過する。そして、画素列７で振動方向がずれた光のみが偏光板５ｂを透過し、拡散手段である筋１０を裏面に備えたガラス基板４ｂに入射される。尚、画素列７で振動方向がずれずにそのまま出射した光は、偏光板５ｂで遮断される。
【００３３】
そして、図３に示すように、拡散手段である筋１０は、図２（ａ）、（ｂ）のように配列された同一画面の画素によって構成される画素列７の長手方向（Ｙ方向）と略垂直な方向、即ち水平方向（Ｘ方向）に伸びたストライプ状に形成され、画素列７の長手方向（Ｙ方向）に配列している。この拡散手段に備えられた筋１０によって、液晶パネル２を透過した光を、筋１０の長手方向に対して略垂直な方向、即ち、画素列７の長手方向（Ｙ方向）と略平行な方向に拡散させることができる。
【００３４】
これにより、画素列７に配列される画素からの光が拡散することで、隣接する画素間を仕切るブラックマトリクスが見えにくくなるとともに、液晶パネル２とパララックスバリア４との間の干渉を除去することができる。又、拡散手段である筋１０の長手方向を上述のようにＸ方向とすることで、図４に示すように、筋１０による拡散方向を画素列７の長手方向（Ｙ方向）として、異なる画面用の画素列７が並ぶ方向（Ｘ方向）へ拡散することを防いでいる。
【００３５】
又、複数本の筋１０によって拡散された光は、パララックスバリア４の表面に設置された遮光薄膜４ａの遮光効果により、各画面の画素列７からの光を分離させて、複数画面用の画像に画像分離を行う。この画像分離方向は、遮光薄膜４ａを配列する方向である水平方向（Ｘ方向）である。即ち、図５に示すように、パララックスバリア４を構成するためにガラス基板４ｂの表面に設置される遮光薄膜４ａの長手方向（Ｙ方向）が、画素列７の長手方向と同様、画像分離方向に対して垂直な方向となっている。
【００３６】
即ち、遮光薄膜４ａの設置されていない開口部が、垂直方向となるＹ方向に略平行なストライプ状に形成される。よって、バックライト３より出射されて液晶パネル２を透過された後に筋１０で拡散された光が、パララックスバリア４に形成される開口部を通過することとなる。これにより、図６に示すように、液晶パネル２の画素列７による画像が、水平方向であるＸ方向に分離されることとなる。
【００３７】
このように、拡散手段として、パララックスバリア４及び画素列７の長手方向と略垂直な方向に長手方向を備える筋１０を形成すると、画素間のブラックマトリクスが見えなくなるようにすることができる。又、液晶パネル２とパララックスバリア４との間隔が光の波長より十分大きいものとなり、ニュートンリング等の光の干渉の影響を低減することができる。更に、この筋１０による画像の拡散方向がパララックスバリア４及び画素列７の長手方向となるため、画像分離方向に対する画像の拡散を防ぐことが可能となる。そのため、水平方向に隣接する他の種類の画素列７（例えば右目用と左目用、第１の画面用と第２の画面用）の画像が混合されることを防ぐことができる。
【００３８】
尚、本実施形態において、パララックスバリア方式により画像表示装置１が構成されるものとしたが、レンチキュラレンズ方式によっても構成することは可能である。即ち、図７の模式的な分解斜視図で示すように、レンチキュラレンズ９に対しても、その裏面に筋１０を形成し、ニュートンリング等の光の干渉の影響を低減しつつ画像が混合されることを防ぐ。このとき、レンチキュラレンズ９の裏面に、レンチキュラレンズ９を形成する蒲鉾形状の凹部及び画素列７の長手方向（Ｙ方向）と略垂直となる方向、即ち水平方向（Ｘ方向）に伸びたストライプ状の筋１０を形成する。これにより、筋１０による光の拡散方向を、レンチキュラレンズ９により画像を分離する方向に対して略垂直な方向とすることができ、拡散による画像分離への影響を低減することができる。
【００３９】
＜第２の実施形態＞
本発明の第２の実施形態について、図面を参照して説明する。尚、図８は、本実施形態における画像表示装置の構成を示す分解斜視図であり、図１で示す画像表示装置と同様の部分については同じ符号を付し、その詳細な説明については省略する。
【００４０】
本実施形態の画像表示装置１ａは、パララックスバリア方式としたとき、図８に示すように、第１の実施形態の画像表示装置１（図１参照）と同様、バックライト３と、液晶パネル２と、パララックスバリア４と、を備える。そして、第１の実施形態の画像表示装置１と異なり、拡散手段となるストライプ状の筋１０が、パララックスバリア４のガラス基板４ｂの裏面ではなく、液晶パネル２の偏光板５ｂのパララックスバリア４の裏面と対向する面（表面）に設置される。即ち、筋１０が、偏光板５ｂ上に透明樹脂を形成してエッチングすることによって形成することで、又は、樹脂基板をエッチングして筋を形成し偏光板５ｂに貼り付けることで、液晶パネル２の偏光板５ｂの表面に形成することができる。
【００４１】
そして、この筋１０については、第１の実施形態と同様、その長手方向が、画素列７及び遮光薄膜４ａの長手方向に対して略垂直な方向（Ｘ方向）になるように形成されるとともに、画素列７及び遮光薄膜４ａの長手方向に平行な方向（Ｙ方向）に配列するように設置される。これにより、筋１０による拡散方向を、遮光薄膜４ａを備えたパララックスバリア４による画像分離方向に対して、略垂直な方向とすることができる。よって、第１の実施形態と同様、水平方向に隣接する他の種類の画素列７の画像が混合されることを防ぐことができる。
【００４２】
尚、本実施形態において、拡散手段となる筋１０を液晶パネル２の表面に設置することにより、図９に示すように、パララックスバリア４において、ガラス基板４ｂの液晶パネル２と対向する面（裏面）に遮光薄膜４ａを設置することができる。又、本実施形態においても、第１の実施形態と同様、図１０に示すように、レンチキュラレンズ方式の画像表示装置１ａとするとともに、液晶パネル２の表面に筋１０が形成されるものとしても構わない。
【００４３】
＜第３の実施形態＞
本発明の第３の実施形態について、図面を参照して説明する。尚、図１１は、本実施形態における画像表示装置の構成を示す分解斜視図であり、図１で示す画像表示装置と同様の部分については同じ符号を付し、その詳細な説明については省略する。
【００４４】
本実施形態の画像表示装置１ｂは、パララックスバリア方式としたとき、図１１に示すように、第１の実施形態の画像表示装置１（図１参照）と同様、バックライト３と、液晶パネル２と、パララックスバリア４と、を備える。そして、第１の実施形態の画像表示装置１と異なり、拡散手段となるストライプ状の筋１０が、パララックスバリア４のガラス基板４ｂの裏面ではなく、パララックスバリア４の遮光薄膜４ａが設置される面（表面）上に設置された樹脂基板１１の表面（パララックスバリア４と対向する面と逆側となる面）に設置される。
【００４５】
この筋１０は、透明な樹脂基板１１をエッチングすることによって形成することができる。又、第１の実施形態と同様、筋１０の長手方向が、画素列７及び遮光薄膜４ａの長手方向に対して略垂直な方向（Ｘ方向）になるように形成されるとともに、画素列７及び遮光薄膜４ａの長手方向に平行な方向（Ｙ方向）に配列するように設置される。これにより、筋１０による拡散方向を、遮光薄膜４ａを備えたパララックスバリア４による画像分離方向に対して、略垂直な方向とすることができる。
【００４６】
このように、拡散手段である筋１０を画像表示装置１ｂの表面に配置することで、パララックスバリア４によって分離された画像を混合せずに、パララックスバリア４及び画素列７の長手方向に対して画像を拡散させることができる。又、画像表示装置１ｂの表面に拡散手段となる筋１０を配置したことによって、外部から入射する光を拡散することが可能となり、映り込みを低減することができる。
【００４７】
尚、本実施形態においても、第１及び第２の実施形態と同様、不図示であるが、レンチキュラレンズ９（図７及び図９参照）の表面に、上述の筋１０が形成された樹脂基板１１を設置することで、レンチキュラレンズ方式の画像表示装置を構成することができる。又、本実施形態において、不図示であるが、第２の実施形態と同様、筋１０が樹脂基板１１の裏面（パララックスバリア４と対向する面）側に形成されるものとしても構わないし、図９の構成と同様、ガラス基板４ｂの液晶パネル２と対向する面（裏面）に遮光薄膜４ａが設置されるものとしても構わない。
【００４８】
又、図１２に示すように、バックライト３と液晶パネル２との間にパララックスバリア４を設けることとして、画像表示装置１ｂの表面に拡散手段となる筋１０を配置する構成としても構わない。又、このとき筋１０は図１２に示すように樹脂基板１１に形成することとしても構わないし、図８〜図１１に示すように偏光板５ｂ上に形成することとしても構わない。このようにバックライト３上にパララックスバリア４を設けることとしても、画素列７の長手方向（Ｙ方向）と平行なストライプ状の光が画素列７に入射することとなり、画像を分離することができる。
【００４９】
又、上述の第１〜第３の実施形態それぞれにおいて、液晶パネル２に配列される画素列７が、図２の平面図に示すように、垂直に並んだ画素によって構成されるものとし、パララックスバリア４が図５に示すような縦ストライプ構造となるものとした。しかしながら、このような構成に限らず、例えば、液晶パネル２に配列される画素列が、斜め方向に並んだ画素によって構成されるものとし、パララックスバリア４における遮光薄膜４ａの長手方向も斜め方向としても構わない。即ち、パララックスバリア４を斜めストライプ構造としても構わない。
【００５０】
（斜めストライプ構造にしたときの構成）
上述したように、このパララックスバリア４を斜めストライプ構造としたときの液晶パネル２内の画素列、パララックスバリア４における遮光薄膜、及び拡散手段となる筋それぞれの構成について、図面を参照して以下に説明する。尚、このとき、第１の実施形態のように、拡散手段となる筋がパララックスバリア４又はレンチキュラレンズ９の裏面に形成されても構わないし、第２の実施形態のように、拡散手段となる筋が液晶パネル２の表面に形成されても構わないし、第３の実施形態のように、拡散手段となる筋を備えた樹脂基板１１がパララックスバリア４又はレンチキュラレンズ９の表面に設置されても構わない。
【００５１】
まず、液晶パネル２に設けられる画素列７１の構成について、図１３の平面図によって説明する。尚、図１３（ａ）は、図２（ａ）と同様に、２眼式の立体画像表示装置の画素を示し、又、図１３（ｂ）は、図２（ｂ）と同様に、複数の異なる画面を表示する画像表示装置や多眼式の立体画像表示装置の画素の例として４つの画面を表示する画像表示装置の画素を示している。又、本構成においても、液晶パネル２がカラーで表示されるものであり、図１３において、それぞれの画素の表記方法は図２の場合と同様である。
【００５２】
まず、図１３（ａ）、（ｂ）のいずれにおいても、図２の場合と同様、図２の画素列７の長手方向に相当する垂直方向（Ｙ方向）に同一色の画素が並び、水平方向（Ｘ方向）に異なる色の画素が循環して並んでいる。即ち、垂直方向にＲとなる画素が一列並んだ列の両側の一方に、垂直方向にＢとなる画素が一列並んだ列が設置され、又、他方に、垂直方向にＧとなる画素が一列並んだ列が設置されている。
【００５３】
このように、Ｒ，Ｇ，Ｂそれぞれの画素が一列ごとに並ぶことで、マトリクス状に配置されている液晶パネル２に対して、斜め方向に画素列７１が設定される。図１３（ａ）の場合、垂直方向（Ｙ方向）に右目用及び左目用の画素が交互に一列に配置される。よって、１行目が、右Ｒ、左Ｇ、右Ｂ、左Ｒ、右Ｇ、左Ｂのように、左右２種類に３色分を乗じた合計６種類の画素が周期的に水平方向に繰り返されるとき、２行目が、左Ｒ、右Ｇ、左Ｂ、右Ｒ、左Ｇ、右Ｂのように、６種類の画素が周期的に水平方向に繰り返されることとなる。
【００５４】
又、図１３（ｂ）の場合、垂直方向（Ｙ方向）に第１〜第４の画面用の画素が循環して一列に配置されることとなる。よって、１行目が、１Ｒ、２Ｇ、３Ｂ、４Ｒ、１Ｇ、２Ｂ、３Ｒ、４Ｇ、１Ｂ、２Ｒ、３Ｇ、４Ｂのように、１〜４の４種類に３色分を乗じた合計１２種類の画素が周期的に水平方向に繰り返されるとき、２行目が、２Ｒ、３Ｇ、４Ｂ、１Ｒ、２Ｇ、３Ｂ、４Ｒ、１Ｇ、２Ｂ、３Ｒ、４Ｇ、１Ｂのように、３行目が、３Ｒ、４Ｇ、１Ｂ、２Ｒ、３Ｇ、４Ｂ、１Ｒ、２Ｇ、３Ｂ、４Ｒ、１Ｇ、２Ｂのように、４行目が、４Ｒ、１Ｇ、２Ｂ、３Ｒ、４Ｇ、１Ｂ、２Ｒ、３Ｇ、４Ｂ、１Ｒ、２Ｇ、３Ｂのように、それぞれ１２種類の画素が周期的に水平方向に繰り返されることとなる。
【００５５】
よって、図１３（ａ）、（ｂ）それぞれにおいて、同じ画面用の画素が斜め方向に配列されたこととなり、この斜め方向に並んだ同じ画面用の画素によって画素列７１が形成されることとなる。この画素列７１について、具体的に、図１４を用いて説明する。尚、図１４は、図１３（ｂ）に示した４つの画面を表示する画像表示装置に対する画素列７１の関係を示す図であり、第１の画面用の画素による画素列７１を示す。
【００５６】
図１４に示すように、第１の画面用を示す画素による画素列７１は、１Ｒの画素の水平方向（Ｘ方向）及び垂直方向（Ｙ方向）それぞれに１画素分進んだ斜め方向の画素に１Ｇが配置され、さらにその先の斜め方向の画素には１Ｂが配置されている。尚、第２〜第４の画面用を示す画素による画素列７１についても、画素列７１において、同様にＲ，Ｇ，Ｂそれぞれの画素が循環して配置されることとなる。又、この配置関係については、図１３（ａ）の２眼式の立体画像用の場合でも同様であり、斜め方向に右Ｒ、右Ｇ、右Ｂの順に整列する右目用の画素列７１と、斜め方向に左Ｒ、左Ｇ、左Ｂの順に整列する左目用の画素列７１とによって成る。
【００５７】
このような画素列７１を用いる場合、画像分離方向はこの画素列７１の長手方向（Ａ方向）と略垂直な方向（Ｂ方向）となる。そのため、画像分離手段であるパララックスバリア４における遮光薄膜やレンチキュラレンズ９の蒲鉾形状部分の長手方向は、画素列７１の長手方向と略平行な方向となる。例えば、パララックスバリア４を例にとると、図１５のパララックスバリア４の平面図に示すように、斜め方向（Ａ方向）に開口部ができるように、遮光薄膜４１ａの長手方向も斜め方向（Ａ方向）と平行となるように形成される。
【００５８】
又、拡散手段となる筋については、その拡散方向が画像分離方向と交差するように設定されるため、その長手方向が遮光薄膜４１ａや画素列７１の長手方向と交差するような方向となるように構成される。即ち、図１６に示すように、筋１０ａの長手方向が、遮光薄膜４１ａや画素列７１の長手方向（Ａ方向）に対して略垂直な方向（Ｂ方向）となる斜め方向とされる。そして、この筋１０ａが、遮光薄膜４１ａや画素列７１の長手方向（Ａ方向）に対して略平行な方向に並べて配置される。これにより、筋１０ａによる拡散方向が、遮光薄膜４１ａや画素列７１の長手方向（Ａ方向）に対して略平行な方向、即ち、パララックスバリア４による画像分離方向と略垂直な方向となる。
【００５９】
このような斜め方向に配列された画素列７１を備えた画像表示装置において、筋１０ａとパララックスバリア４と液晶パネル２との関係を第１の実施形態のようにした場合、図１７に示すような構成となり、又、筋１０ａとパララックスバリア４と液晶パネル２との関係を第２の実施形態のようにした場合、図１８に示すような構成となり、又、筋１０ａとパララックスバリア４と液晶パネル２との関係を第３の実施形態のようにした場合、図１９または図２０に示すような構成となる。尚、図１７〜図２０は、パララックスバリア方式の画像表示装置の構成を示す模式的な分解斜視図であるが、この場合において、パララックスバリア方式ではなく、図２１のように、レンチキュラレンズ方式によって構成することができる。
【００６０】
このように、画素列７１を斜め方向に配列させることで、図２に示すように水平方向と垂直な方向に、同じ種類及び同じ色を表示する画素を一列に整列させた場合と比べて、同じ色の画像を表示する画素を近接させることができる。よって、複数の異なる画面を表示する画像表示装置や多眼式の立体画像表示装置においては、表示する画面の数が増えていくにつれて、図２に示すような画素列７を設置した場合、例えば１Ｒと１Ｇとの距離が１画素分ずつ離れることとなる。そのため、表示できる画面数を増やせば増やすほど同じ種類の画面を表示する画素の隙間が大きくなり、画質が悪化する。しかし、画素列７１を斜め方向に配列することで、同じ種類の画面を表示する異なる色の画素を画素列７１の長手方向に近接させることができるため、高画質化を図ることができる。
【００６１】
又、第１〜第３の実施形態において、拡散手段である筋を画像分離方向と略垂直なものとしたが、略垂直に限られるものではなく、画像分離方向と筋の長手方向との成す角が４５度〜９０度の範囲内であれば、分離された画像の混合を軽減することができる。更に、各実施形態において、筋１０，１０ａを一続きのものとして示したが、図２２（ａ）の拡散手段の平面図に示すように、多数の筋１０ｂが長手方向に対して途切れて、ランダムに配置されるものとしても構わない。
【００６２】
更に、図２２（ｂ）の拡散手段の平面図に示すように、長さの異なる筋１０ｃそれぞれの設置される方向もランダムであり、およそ同じ方向を向いている程度に設置されるものとしても構わない。但し、これらの筋１０ｃそれぞれの長手方向と画像分離方向との成す角は４５度〜９０度の範囲内であることが望ましい。
【００６３】
この図２２（ａ）、（ｂ）のように、拡散手段として形成される筋１０ｂ，１０ｃの長さや設置方向をランダムとすると、拡散手段を設けたことによって新たに生じる拡散手段と液晶パネルのブラックマトリクスや遮光薄膜との間の干渉を防ぐことができる。
【産業上の利用可能性】
【００６４】
本発明は立体画像を表示したり、観察する位置によって異なる画像を表示したりする画像表示装置において利用可能である。又、携帯電話やＰＤＡ（Personal Digital Assistants）などの携帯型端末装置に対して、その小型ディスプレイに本発明の画像表示装置を利用することで、立体画像表示を可能とすることができる。更に、カーナビゲーションシステムにおいて、ディスプレイに本発明の画像表示装置を利用することで、運転席側にナビゲーションによる画像を表示し、助手席側にテレビ画像などを表示するように、異なる画像を表示させることができる。
【図面の簡単な説明】
【００６５】
【図１】は、第１の実施形態におけるパララックスバリア方式の画像表示装置の模式的な分解斜視図である。
【図２】は、液晶パネルにおける画素列の構成を示す平面図である。
【図３】は、図１の画像表示装置における筋の設置状態を示す平面図である。
【図４】は、図３のように設置された筋による拡散方向を示す図である。
【図５】は、図１の画像表示装置におけるパララックスバリアの構成を示す平面図である。
【図６】は、図５のような構成のパララックスバリアによる画像分離方向を示す図である。
【図７】は、第１の実施形態におけるレンチキュラレンズ方式の画像表示装置の模式的な分解斜視図である。
【図８】は、第２の実施形態におけるパララックスバリア方式の画像表示装置の模式的な分解斜視図である。
【図９】は、第２の実施形態におけるパララックスバリア方式の別例となる画像表示装置の模式的な分解斜視図である。
【図１０】は、第２の実施形態におけるレンチキュラレンズ方式の画像表示装置の模式的な分解斜視図である。
【図１１】は、第３の実施形態におけるパララックスバリア方式の画像表示装置の模式的な分解斜視図である。
【図１２】は、第３の実施形態におけるパララックスバリア方式の画像表示装置の模式的な分解斜視図である。
【図１３】は、液晶パネルにおける画素列の別の構成を示す平面図である。
【図１４】は、図１３（ｂ）のように配列された画素列の内、第１画面用の画素列の設置状態を示す図である。
【図１５】は、図１３のように配列された画素列を液晶パネルに備える場合の、パララックスバリアの構成を示す平面図である。
【図１６】は、図１３のように配列された画素列を液晶パネルに備える場合の、筋の設置状態を示す平面図である。
【図１７】は、第１の実施形態におけるパララックスバリア方式の別例となる画像表示装置の模式的な分解斜視図である。
【図１８】は、第２の実施形態におけるパララックスバリア方式の別例となる画像表示装置の模式的な分解斜視図である。
【図１９】は、第３の実施形態におけるパララックスバリア方式の別例となる画像表示装置の模式的な分解斜視図である。
【図２０】は、第３の実施形態におけるパララックスバリア方式の別例となる画像表示装置の模式的な分解斜視図である。
【図２１】は、第１の実施形態におけるレンチキュラレンズ方式の別例となる画像表示装置の模式的な分解斜視図である。
【図２２】は、画像表示装置における拡散手段を構成する筋の別の設置例を示す平面図である。
【図２３】は、パララックスバリア方式の画像表示装置の模式的な分解斜視図である。
【図２４】は、パララックスバリア方式を利用した立体画像を表示する画像表示装置の模式図である。
【図２５】は、レンチキュラレンズ方式の画像表示装置の模式的な分解斜視図である。
【図２６】は、レンチキュラレンズ方式を利用した立体画像を表示する画像表示装置の模式図である。
【符号の説明】
【００６６】
１  画像表示装置
２  液晶パネル
３  バックライト
４  パララックスバリア
４ａ  遮光薄膜
４ｂ  ガラス基板
５ａ、５ｂ  偏光板
６ａ、６ｂ  ガラス基板
７  画素列
７Ｌ  左目用画素列
７Ｒ  右目用画素列
Ｌ１〜Ｌ４  光
８Ｒ  観察者の右目
８Ｌ  観察者の左目
９  レンチキュラレンズ
１０  筋
【図１】
2008102430.tif 000003
【図２】
2008102430.tif 000004
【図３】
2008102430.tif 000005
【図４】
2008102430.tif 000006
【図５】
2008102430.tif 000007
【図６】
2008102430.tif 000008
【図７】
2008102430.tif 000009
【図８】
2008102430.tif 000010
【図９】
2008102430.tif 000011
【図１０】
2008102430.tif 000012
【図１１】
2008102430.tif 000013
【図１２】
2008102430.tif 000014
【図１３】
2008102430.tif 000015
【図１４】
2008102430.tif 000016
【図１５】
2008102430.tif 000017
【図１６】
2008102430.tif 000018
【図１７】
2008102430.tif 000019
【図１８】
2008102430.tif 000020
【図１９】
2008102430.tif 000021
【図２０】
2008102430.tif 000022
【図２１】
2008102430.tif 000023
【図２２】
2008102430.tif 000024
【図２３】
2008102430.tif 000025
【図２４】
2008102430.tif 000026
【図２５】
2008102430.tif 000027
【図２６】
2008102430.tif 000028